(57)【要約】【課題】ヘイズを調整可能な防眩フィルムを提供することを課題とする。【解決手段】基材フィルム２の少なくとも片面に透明電極３を備えた一対の透明導電フィルム８の透明電極を内側にして液晶調光層４を積層してなる調光フィルム９のいずれか一方の基材フィルムの外側の表面に、表面凹凸構造からなる防眩層１が備えられていることを特徴とするヘイズを調整可能な防眩フィルム１０である。これは、調光フィルムの少なくとも片方の基材フィルムの表面に形成されているハードコート層を防眩層に変更することにより得ることができる態様である。【選択図】図１
2020046627.tif 000002
【特許請求の範囲】
【請求項１】
電圧の印加により入射光の散乱度合いを変化自在に構成された調光層を有する調光フィルムと、
入射光を散乱させる凹凸構造を有する防眩層と、
を有する防眩フィルム。
【請求項２】
前記調光フィルムは、
前記調光層を挟持する一対の透明導電フィルムと、
前記透明導電フィルムの夫々が貼り付けられた一対の基材フィルムと、
を有し、
前記調光層は、液晶組成物を有する請求項１に記載の防眩フィルム。
【請求項３】
前記一対の基材フィルムの少なくとも一方の外表面に樹脂層、前記防眩層の順に貼り付けられている請求項２に記載の防眩フィルム。
【請求項４】
請求項１または２に記載の防眩フィルムと、
前記防眩フィルムと観察者との距離を測定する距離測定手段と、
前記距離測定手段の測定結果に基づいて前記防眩フィルムのヘイズを調整する制御手段と、を備える表示装置。
【発明の詳細な説明】
【技術分野】
【０００１】
本発明は、表示装置の画面に装着して視認性を向上させるＡＧ（Ａｎｔｉ  Ｇｌａｒｅ、防眩）フィルムに関する。
【背景技術】
【０００２】
表示装置の最表面に用いられるＡＧ処理されたフィルム（例えば、特許文献１）やガラスでは、表面の凹凸構造によって外光を散乱させることにより、周囲にある物体などが映り込むことを抑制し、視認性を向上させている。
【０００３】
近年、表示装置の高精細化が進んでおり、高精細の画面にＡＧ処理を適用すると、電源をＯＮした時にギラツキまたはスパークリングと呼ばれる現象が観察される。このギラツキは、画面に油にじみの様な欠陥が観察され、視認性を低下させる現象である。
【０００４】
このギラツキ問題に対する対策として、ＡＧ処理による表面の凹凸構造をより微細化することや、ＡＧフィルム（防眩フィルム）の内部に光散乱成分を持たせることによって回避することが検討されている。
【０００５】
しかしながら、表面の凹凸構造が細か過ぎる場合は全体的に白くなってしまう問題がある。また、内部ヘイズが大き過ぎるとコントラストが低下する問題が出てくる。この様な問題を回避するのは、設計上の難易度が高いものとなっている。
【０００６】
また、表示装置の高精細化に伴い、ギラツキが非常に細かくなっているため、画面に近づいた時には顕著に観察できるが、画面から離れると観察され難いものになって来ている。また、画面の近傍においては直線成分の光が多くなるため、内部ヘイズによるコントラストの低下が気にならなくなる。
【０００７】
そのため、近距離においてはヘイズを高くすることによりギラツキを防止可能であり、また、遠距離においてはヘイズを低くすることによりコントラストの低下を防止することができるＡＧフィルムが求められていた。
【先行技術文献】
【特許文献】
【０００８】
【特許文献１】特開平１０−２０１０３号公報
【特許文献２】特開２００６−６４８３２号公報
【発明の概要】
【発明が解決しようとする課題】
【０００９】
上記に事情に鑑み、本発明は、ヘイズを調整可能な防眩フィルムを提供することを課題とする。
【課題を解決するための手段】
【００１０】
上記の課題を解決する手段として、本発明の第一の態様は、基材フィルムの少なくとも片面に透明電極を備えた一対の透明導電フィルムの透明電極を内側にして液晶調光層を積層してなる調光フィルムのいずれか一方の基材フィルムの外側の表面に、表面凹凸構造からなる防眩層が備えられていることを特徴とするヘイズを調整可能な防眩フィルムである。
これは、調光フィルムの少なくとも片方の基材フィルムの表面に形成されているハード
コート層を防眩層に変更することにより得ることができる態様である。
【００１１】
また、第二の態様は、基材フィルムの少なくとも片面に透明電極を備えた一対の透明導電フィルムの透明電極を内側にして液晶調光層を積層してなる調光フィルムのいずれか一方の基材フィルムの表面に、接着層と、樹脂層と、表面凹凸構造からなる防眩層と、がこの順に備えられていることを特徴とするヘイズを調整可能な防眩フィルムである。
これは、調光フィルムの少なくとも片方の基材フィルムの表面に、樹脂層の上に防眩層が形成された防眩フィルムの樹脂層側を、接着層を介して、接着することにより得ることができる態様である。
【００１２】
また、第三の態様は、第一または第二の態様のいずれかに記載のヘイズを調整可能な防眩フィルムと、前記防眩フィルムと観察者との距離を測定する距離測定手段と、その距離測定手段の測定結果に基づいて前記防眩フィルムのヘイズを調整する制御手段と、を備えている特徴とする表示装置である。
【発明の効果】
【００１３】
本発明のヘイズを調整可能な防眩フィルムは、防眩フィルムと、液晶調光フィルムと、を積層した。従って、液晶調光フィルムに印加する電圧を調整することにより、液晶調光フィルムのヘイズひいては防眩フィルムとしてのヘイズを調整可能な防眩フィルムが提供される。
【００１４】
また、本発明の表示装置は、その表示画面に本発明のヘイズを調整可能な防眩フィルムを備えており、且つ観察者と表示画面との距離を測定し、測定した距離に従って、制御装置によって予め設定したヘイズに調整可能であるため、予め設定した距離より近くで画面を見る場合は高いヘイズとすることによりギラツキを抑制し、予め設定した距離以上のところから画面を見る場合は低いヘイズとすることにより、コントラストの低下を防止することができる。
【図面の簡単な説明】
【００１５】
【図１】本発明のヘイズを調整可能な防眩フィルムの層構成を例示する断面図。
【図２】本発明のヘイズを調整可能な防眩フィルムの層構成を例示する断面図。
【図３】本発明のヘイズを調整可能な防眩フィルムを備えた表示装置の構成を例示する説明図。
【発明を実施するための形態】
【００１６】
本発明のヘイズを調整可能な防眩フィルムについて、図１と図２を用いて説明する。
【００１７】
＜第一の実施形態＞
本発明のヘイズを調整可能な防眩フィルムの第一の実施形態は、図１に例示した様に、基材フィルム２の片面に透明電極３を備えた一対の透明導電フィルム８の透明電極３を内側にして液晶調光層４を積層してなる調光フィルム９のいずれか一方の基材フィルム２の外側の表面に、表面凹凸構造からなる防眩層１が備えられていることを特徴とするヘイズを調整可能な防眩フィルム１０である。
【００１８】
（基材フィルム）
基材フィルム２としては、透明性、取り扱いやすさ、強度及びコストの点から、ポリエチレンテレフタレート（ＰＥＴ）、ポリカーボネート（ＰＣ）、ポリメタクリル酸メチル樹脂（ＰＭＭＡ）、シクロオレフィンポリマー（ＣＯＰ）、トリアセチルセルロース（ＴＡＣ）、透明ポリイミド（ＰＩ）などを素材とするフィルムが挙げられる。
【００１９】
（透明電極）
透明電極３としては、透明性かつ導電性を有していればよく、具体的には錫が添加された酸化インジウムスズ（ＩＴＯ）、ポリスチレンスルホン酸ドープポリエチレンジオキシチオフェン（ＰＥＤＯＴ：ＰＳＳ）、カーボンナノチューブ（ＣＮＴ）、グラフェン、金属および金属酸化物などが挙げられる。
【００２０】
（液晶調光層）
液晶調光層４としては、印加電圧の制御により透明、不透明を切り替える調光機能を有するものであればよい。調光機能を有する方式として、例えば、高分子ネットワーク型液晶（ＰＮＬＣ：Ｐｏｌｙｍｅｒ ＮｅｔｗｏｒｋＬｉｑｕｉｄ Ｃｒｙｓｔａｌ） 方式、高分子分散型液晶（ＰＤＬＣ：ＰｏｌｙｍｅｒＤｉｓｐｅｒｓｅｄ Ｌｉｑｕｉｄ Ｃｒｙｓｔａｌ）方式、配向膜を形成した透明フィルムでＴＮ（ＴｗｉｓｔｅｄＮｅｍａｔｉｃ）液晶を挟持する方式などが挙げられる。
【００２１】
（表面凹凸構造）
表面凹凸構造からなる防眩層１の表面凹凸構造は、表面に入射する外光を散乱させ、その表面に映りこむ外光の像を不鮮明とするものである。
その様な表面凹凸構造を形成する方法としては、エンボス加工による方法と、微粒子をバインダマトリックスに分散させた塗液を被塗布物の表面に塗布し乾燥させる方法と、を挙げることができる。
【００２２】
エンボス加工による方法としては、微細な凹凸構造を備えた金型を樹脂フィルムに押圧することにより、金型の凹凸構造を転写する方法がある。押圧する際に、樹脂フィルムの軟化温度以上に加熱した状態で実施する。また、溶融した樹脂を金型に流し込んでから冷却して樹脂フィルムを作製することにより、表面に凹凸構造を備えた樹脂フィルムを得ることもできる。
【００２３】
一方、微粒子をバインダマトリックスに分散させた塗液を被塗布物の表面に塗布し乾燥させる方法としては、塗液を各種の塗布方法、例えばダイコータやロールコータなどの塗布装置を用いて塗布後、例えば赤外線や遠赤外線ヒーターを用いた乾燥装置である加熱ゾーンを通すことによって、塗液が加熱され、塗液中の溶剤を揮発させることによって乾燥させることができる。加熱ゾーンにはヒーターの代わりに熱風を用いても良いし、ヒーターと熱風を併用したものであっても良い。この様にして塗液が乾燥すると、塗液の内部にある微粒子が単独あるいは複数が凝集して表面から突出することによって、表面凹凸構造が形成される。
【００２４】
＜ヘイズを調整可能な防眩フィルムの製造方法＞
次に、本発明のヘイズを調整可能な防眩フィルム１０の製造方法について説明する。
本発明のヘイズを調整可能な防眩フィルム１０の製造方法は、透明導電フィルム８を用意する工程１と、透明導電フィルム８の透明電極３が形成されていない基材フィルム２の表面に表面凹凸構造による防眩層１を形成することにより、透明電極が形成されていない面に防眩層を備えた透明導電フィルム８´を作製する工程２と、防眩層１を形成された透明導電フィルム８´と透明導電フィルム８の透明電極側を向い合わせにして、液晶調光層４を積層した積層体を形成する工程３と、を備えている。
工程２は、防眩層１を形成後、防眩層１を保護する保護膜（図示を省略）を形成しても良い。保護膜は、最終的には除去するため、容易に剥がせる粘着剤を使用して貼り合わせるか、液状の保護膜を塗布・乾燥して保護膜とするものでも良い。
この様にして積層体として作製されたヘイズを調整可能な防眩フィルムは、ロールに巻き取った状態で保管することができる。
【００２５】
＜第二の実施形態＞
本発明のヘイズを調整可能な防眩フィルムの第二の実施形態は、調光フィルムのいずれか一方の基材フィルムの表面に、防眩層を外側にして防眩フィルムを接着した構成である。更に詳しくは、図２に例示した様に、基材フィルム２の少なくとも片面に透明電極３を備えた一対の透明導電フィルム８の透明電極３を内側にして液晶調光層４を積層してなる調光フィルム９のいずれか一方の基材フィルム２の表面に、接着層５と、樹脂層６と、表面凹凸構造からなる防眩層１と、がこの順に備えられていることを特徴とするヘイズを調整可能な防眩フィルム２０である。
【００２６】
（接着層）
接着層５の材料としては、液晶ディスプレイやタッチパネルなどに使用されている光学用の粘着剤であれば、特に限定する必要は無く、いずれであっても好適に使用することができる。
【００２７】
（樹脂層）
樹脂層６の材料としては、透明な樹脂であれば特に限定する必要は無い。例えば、基材フィルム２と同様の材料であるポリエチレンテレフタレート（ＰＥＴ）、ポリカーボネート（ＰＣ）、ポリメタクリル酸メチル樹脂（ＰＭＭＡ）、シクロオレフィンポリマー（ＣＯＰ）、トリアセチルセルロース（ＴＡＣ）、透明ポリイミド（ＰＩ）などを挙げることができる。
【００２８】
基材フィルム２、透明電極３、液晶調光層４、表面凹凸構造１などのついては、第一の実施形態と同様である。
【００２９】
＜ヘイズを調整可能な防眩フィルムの製造方法＞
次に、本発明のヘイズを調整可能な防眩フィルム２０の製造方法について説明する。
本発明のヘイズを調整可能な防眩フィルム２０の製造方法は、例えば、調光フィルム９と、樹脂層６上に表面凹凸構造からなる防眩層１が形成された防眩フィルムと、を用意する工程Ａと、それらを、接着層５を介して、防眩フィルムの樹脂層６側を調光フィルム９のいずれかの基材フィルム２と接着する工程Ｂと、備えていることにより本発明のヘイズを調整可能な防眩フィルム２０を製造することができる。
【００３０】
本発明のヘイズを調整可能な防眩フィルムの製造方法は、これに限定する必要はない。
例えば、調光フィルムを製造する工程ａと、工程ａで製造された調光フィルムのいずれか一方の基材フィルム２に、樹脂層６と、防眩層１と、を順次形成する工程であっても良い。
【００３１】
＜表示装置＞
次に、本発明のヘイズを調整可能な防眩フィルムを備えた表示装置について説明する。
図３に例示した様に、本発明の表示装置４０は、本発明のヘイズを調整可能な防眩フィルム１０または２０と、防眩層１と観察者１３との距離を測定する距離測定装置１１と、その距離測定装置１１の測定結果に基づいて前記防眩フィルム１０または２０のヘイズを調整する制御装置１２と、調光フィルム９を駆動する電源１４と、を備えている事が特徴である。防眩フィルム１０または２０は、ディスプレイ３０の表示画面に備えられている。
ディスプレイ３０としては例えば液晶表示装置や有機ＥＬ表示装置などを挙げることができるが、これらに限定する必要は無い。
また、調光フィルム９を駆動する調光フィルム電源１４としては、使用する調光フィルム９を駆動するのに適した周波数、電圧および電力容量を備えている交流電源であり、制御装置１２の信号に従って電圧などを制御可能であれば良い。
また、距離測定装置１１としては、特に限定されない。表示装置３０の表示画面に装着
された防眩フィルム１０または２０と観察者１３との距離を測定可能な各種の距離センサや距離測定装置を採用することができる。
また、制御装置１２としては、特に限定されない。専用に作製されたものであっても良いし、コンピュータ装置に専用のアプリケーションソフトウェアをインストールした制御装置であっても構わない。
【実施例】
【００３２】
次に、本発明の実施例について説明する。
実施例１、２また比較例１〜６に、防眩フィルムと比較例としてのサンプルの作製方法について説明した。
【００３３】
＜実施例１＞
まず、外部ヘイズが０．５％のＡＧフィルム（ＡＧ１）と調光フィルムを用意した。
ＡＧフィルムの防眩層が形成されている面の裏面側を、光学フィルム用粘着剤ＳＫダイン（綜研化学株式会社の登録商標）を使用して、調光フィルムの片面に接着することにより、ヘイズが調整可能な防眩フィルムを作製した。
【００３４】
＜実施例２＞
外部ヘイズが８．０％のＡＧフィルム（ＡＧ２）と調光フィルムを用意した。
ＡＧフィルムの防眩層が形成されている面の裏面側を、光学フィルム用粘着剤ＳＫダイン（綜研化学株式会社の登録商標）を使用して、調光フィルムの片面に接着することにより、ヘイズが調整可能な防眩フィルムを作製した。
【００３５】
＜比較例１＞
外部ヘイズが５．１％のＡＧフィルム（ＡＧ３）と調光フィルムを用意した。
ＡＧフィルムの防眩層が形成されている面の裏面側を、光学フィルム用粘着剤ＳＫダイン（綜研化学株式会社の登録商標）を使用して、調光フィルムの片面に接着することにより、ヘイズが調整可能な防眩フィルムを作製した。
【００３６】
＜比較例２＞
ＡＧフィルムをＡＧ１とし、調光フィルムは使用しなかった。
【００３７】
＜比較例３＞
ＡＧフィルムをＡＧ２とし、調光フィルムは使用しなかった。
【００３８】
＜比較例４＞
ＡＧフィルムをＡＧ３とし、調光フィルムは使用しなかった。
【００３９】
＜比較例５＞
ＡＧフィルムを、外部ヘイズが３０．０％のＡＧ４とし、調光フィルムは使用しなかった。
【００４０】
＜比較例６＞
ＡＧフィルムを使用せず、調光フィルムのみとした。
【００４１】
＜評価＞
実施例１、２および比較例１〜６で作製した、または用意したサンプルを液晶表示装置の画面に貼り付けて評価した。調光フィルムを有するサンプルについては、透明状態と白濁状態のそれぞれにおける液晶表示装置の画面と観察者の目との距離（観察距離）を３０ｃｍと１００ｃｍの時のギラツキ、コントラストおよび外光映り込みについて、観察者による目視評価を行った。調光フィルムが無いサンプルについては、観察距離を３０ｃｍと
１００ｃｍの時のギラツキ、コントラストおよび外光映り込みについて、観察者による目視評価を行った。
また、各サンプルについて、外部ヘイズ、内部ヘイズおよび総ヘイズを測定した。
以上の測定結果および評価結果については、表１にまとめて示した。
【００４２】
【表１】
2020046627.tif 000003
【００４３】
（ギラツキ）
表１に示す様に、観察距離が３０ｃｍの場合におけるギラツキは、総ヘイズが７．６％で×、２２．０％で△、２５．６％で〇、４０．０％で〇、５８．１％で〇となった。ここで、〇：ギラツキは観察されない、△：ギラツキは観察されるが軽微である、×：ギラツキが観察される、という判定基準に従って目視により評価した。観察距離が１００ｃｍの場合は、全て〇となった。
【００４４】
（コントラスト）
また、観察距離が１００ｃｍの場合におけるコントラストは、総ヘイズが７．１％で〇、７．６％で〇、２２．０％で〇、２５．１％で△、２５．６％で△、３３．０％で×、４０．０％で×、４０．１％で×、５８．１％で×、となった。ここで、〇：コントラストが良好である、△：コントラストがやや不良、×：コントラストが不良、という判定基準に従って目視により評価した。観察距離が３０ｃｍの場合は、５８．１％で△となった以外は、全て〇となった。
【００４５】
（外光映り込み）
ＡＧ（防眩）効果が不十分なため、周囲の状況が反射して見えるかどうかを示す外光映り込みについては、目視による観察の結果、ＡＧフィルムを使用していない比較例６においては、全て×（外光映り込みが認められる。）となったが、実施例１、２および比較例１〜５においては、全て〇（外光映り込みが認められない。）となった。  
【００４６】
以上の結果から、観察距離が３０ｃｍという近距離から表示装置を見る場合は、総ヘイズは２３％〜５５％にすることで、ギラツキを防止することができる。この様な総ヘイズとなるように、調光フィルムの内部ヘイズを調整することにより可能である。
【００４７】
調光フィルムに印加する電圧を変更することにより、透明状態と白濁状態を切り替えることにより調光フィルムによる内部ヘイズを変更することができる。表１は調光フィルムとして、異なる内部ヘイズを備えたＡＧ１（外部ヘイズ０．５％）、ＡＧ２（外部ヘイズ８．０％）、ＡＧ３（外部ヘイズ５．１％）、ＡＧ４（外部ヘイズ３０．０％）の４種類を使用して、内部ヘイズを透明状態と白濁状態の２段階で切り替えた場合の結果を示している。調光フィルムは、２段階で切り替えることができる他、印加する電圧に応じて、中間的なヘイズとすることも可能である。そのため、本発明のヘイズを調整可能な防眩フィルムにおいては、透明状態である最低の内部ヘイズから、白濁状態である最高の内部ヘイズの間の中間的なヘイズに調整することも可能である。
【００４８】
また、観察距離が１００ｃｍの位置から表示装置を見る場合は、調光フィルムの内部ヘイズを調整することで総ヘイズを２３％以下とすることで、コントラストを良好（〇）とすることができた。
【符号の説明】
【００４９】
１・・・（表面凹凸構造からなる）防眩層（またはＡＧフィルム）
２・・・基材フィルム
３・・・透明電極
４・・・液晶調光層
５・・・接着層
６・・・樹脂層
８・・・透明導電フィルム
８´・・・防眩層を備えた透明導電フィルム
９・・・調光フィルム
１０、２０・・・ヘイズを調整可能な防眩フィルム
１１・・・距離測定装置
１２・・・制御装置
１３・・・観察者
１４・・・調光フィルム電源
３０・・・ディスプレイ
４０・・・（ヘイズを調整可能な防眩フィルムを備えている）表示装置
【図１】
2020046627.tif 000004
【図２】
2020046627.tif 000005
【図３】
2020046627.tif 000006